(57)【要約】【課題】障子が非閉鎖状態でクレセントを施錠位置にして障子を開操作した場合でも、鎌部と外障子の対応部位とが衝突するのを防止することができ、鎌部や外障子の対応部位が損傷するのを防止することができる開口部装置を提供する。【解決手段】開口部装置は、建物の開口に設けられる上枠２ａ、下枠２ｂおよび左右の縦枠２ｃ，２ｄからなる枠体２と、該枠体２内に開閉自在に設けられる障子３ａ，３ｂと、該障子３ａ，３ｂを閉鎖状態に施錠するクレセント４とを備えている。前記クレセント４は回動可能な鎌部１１とレバー部１２を有している。障子３ａ，３ｂが非閉鎖状態でクレセント４を施錠位置にして障子３ａ又は３ｂを開操作した時に、鎌部１１と外障子３ｂの対応部位６ｄとが衝突するのを防止するために、前記レバー部１２に鎌部１１よりも先に外障子３ｂの対応部位６ｄと衝突する弾性を有する保護部材１７を設けている。【選択図】　　　　　図４
2004052394.tif 000002
【特許請求の範囲】
【請求項１】
建物の開口に設けられる上枠、下枠および左右の縦枠からなる枠体と、該枠体内に開閉自在に設けられる内外の障子と、該障子を閉鎖状態に施錠するクレセントとを備え、前記クレセントは回動可能な鎌部とレバー部を有し、障子が非閉鎖状態でクレセントを施錠位置にして障子を開操作した時に、鎌部と外障子の対応部位とが衝突するのを防止するために、前記レバー部に鎌部よりも先に前記外障子の対応部位と衝突する弾性を有する保護部材を設けたことを特徴とする開口部装置。
【発明の詳細な説明】
【０００１】
【発明の属する技術分野】
本発明は、開口部装置に係り、特に障子を閉鎖状態に施錠するクレセントを備えた開口部装置に関する。
【０００２】
【従来の技術】
この種の開口部装置としては、図５に示すように、建物の開口に設けられる上枠２ａ、下枠２ｂおよび左右の縦枠２ｃ，２ｄからなる枠体２と、該枠体２内に開閉自在に設けられる障子３ａ，３ｂと、該障子３ａ，３ｂを閉鎖状態に施錠するクレセント４とを備えたサッシが知られている。前記クレセント４は、内障子３ａの召し合せ框５ｃに設けられ、回動可能な鎌部１１と、この鎌部１１を回動操作するためのレバー部１２とを有している。外障子３ｂの召し合せ框６ｃには、前記鎌部１１が回動することにより係合するクレセント受け１４が設けられている。
【０００３】
ところで、前記開口部装置においては、例えば建物の工事期間中に、例えば開口部装置の拭き掃除中に、障子３ａ，３ｂが非閉鎖状態であるにも関らず、クレセント４のレバー部１２を誤って施錠位置に回してしまったり、或いは、携帯ラジオや携帯電話のストラップを引っ掛けておくために、クレセント４のレバー部１２を施錠位置である上向きの位置に回しておくことがある。このような場合、図６に示すように、クレセント４の鎌部１１が室外方向に突出しているため、障子３ａ又は３ｂを開操作すると、鎌部１１と外障子３ｂの対応部位である戸先框６ｄ、パッキン７、更には引手２０とが衝突し、鎌部１１や外障子３ｂの対応部位６ａ，７，２０が損傷する恐れがある。
【０００４】
なお、先行技術文献としては、特許第３１７９７２７号公報、実開昭５７−２１７５８号公報がある。
【０００５】
【発明が解決しようとする課題】
前述したように、従来の開口部装置においては、障子３ａ，３ｂが非閉鎖状態でクレセント４を施錠位置にして障子３ａ，３ｂを開操作した時に、鎌部１１と外障子３ｂの外障子の対応部位である戸先框６ｄとが衝突して、これらが損傷する恐れがあった。
【０００６】
本発明は、前記事情を考慮してなされたもので、障子が非閉鎖状態でクレセントを施錠位置にして障子を開操作した場合でも、鎌部と外障子の対応部位とが衝突するのを防止することができ、鎌部や外障子の対応部位が損傷するのを防止することができる開口部装置を提供することを目的とする。
【０００７】
【課題を解決するための手段】
本発明は、建物の開口に設けられる上枠、下枠および左右の縦枠からなる枠体と、該枠体内に開閉自在に設けられる内外の障子と、該障子を閉鎖状態に施錠するクレセントとを備え、前記クレセントは回動可能な鎌部とレバー部を有し、障子が非閉鎖状態でクレセントを施錠位置にして障子を開操作した時に、鎌部と外障子の対応部位とが衝突するのを防止するために、前記レバー部に鎌部よりも先に外障子の対応部位と衝突する弾性を有する保護部材を設けたことを特徴とする。
【０００８】
【発明の実施の形態】
以下に、本発明の実施の形態を添付図面に基いて詳述する。図１は本発明の実施の形態を示す開口部装置の室内側正面図、図２はクレセントを示す図で、（ａ）は解錠位置の側面図、（ｂ）は施錠位置の側面図、（ｃ）はクレセントのハンドルに保護部材を取付けた状態を示す斜視図、図３は図１のＡ−Ａ線拡大断面図、図４は図１のＢ−Ｂ線拡大断面図である。
【０００９】
図１、図３ないし図４において、１は建物の開口に設けられる開口部装置で、図示例ではサッシ、具体的には引違いサッシが示されている。この開口部装置１は、建物の開口に設けられる例えばアルミニウムの合金押出形材からなる上枠２ａ、下枠２ｂおよび左右の縦枠２ｃ，２ｄからなる枠体２と、該枠体２内に開閉自在に設けられる障子３ａ，３ｂと、該障子３ａ，３ｂを閉鎖状態に施錠するクレセント（クレセント錠とも言う）４とを備えている。
【００１０】
図示例では内外二枚の障子３ａ、３ｂが示されている。内障子３ａは、例えばアルミニウム合金の押出形材からなる上框５ａ、下框５ｂ及び左右の縦框（召し合せ框、戸先框）５ｃ，５ｄを框組した框体５と、該框体５内にパッキン（グレーチングチャンネルとも言う）７を介して装着されたガラスパネル８とから主に構成されている。
【００１１】
外障子３ｂは、例えばアルミニウム合金の押出形材からなる上框６ａ、下框６ｂ及び左右の縦框（召し合せ框、戸先框）６ｃ，６ｄを框組した框体６と、該框体６内にパッキン７を介して装着されたガラスパネル８とから主に構成されている。上枠２ａと下枠２ｂには内外の障子３ａ，３ｂを左右方向にスライド開閉自在に案内するための上レール９ａ，９ｂと下レール１０ａ，１０ｂが設けられ、障子３ａ，３ｂには下レール１０ａ，１０ｂ上を走行する図示しない車輪（戸車）が設けられている。障子３ａ，３ｂの戸先框５ｄ，６ｄの室内面には引手２０，２０が設けられている。
【００１２】
前記クレセント４は、回動可能な鎌部１１とレバー部１２を有し、内障子３ａの召し合せ框５ｃに設けられている。この召し合せ框５ｃの障子開側端面における高さ方向略中間部にはクレセント４の台座１３が設けられ、この台座１３に係合部である鎌部１１と、ハンドルであるレバー部１２とが水平軸回り一体的に回動するように回動可能に設けられている（軸支されている）。
【００１３】
前記クレセント４のレバー部１１は、図２にも示すように、角棒状に形成されていることが好ましい。外障子３ｂの召し合せ框６ｃにおける前記鎌部１１と対応する位置には、障子３ａ，３ｂが閉鎖状態の時に、クレセント４のレバー部１２を施錠方向に回動操作することにより鎌部１１が室外側へ突出しながら回動して係合するクレセント受け１４が設けられており、鎌部１１とクレセント受け１４の係合により施錠状態となる。
【００１４】
クレセント４は、図２の（ｂ）に示すようにレバー部１２を上方に回動操作することにより施錠し（この上向きのレバー位置を施錠位置と言う）、図２の（ａ）に示すようにレバー部１２を下方に回動操作することにより解錠する（この下向きのレバー位置を解錠位置と言う）。障子３ａ，３ｂが非閉鎖状態（開いている状態）では、クレセント４のレバー部１２を施錠方向（上方）に回動操作しても鎌部１１が空振りしてクレセント受け１４には係合せず、施錠状態にはならない。この状態で障子３ａ又は３ｂを開操作すると、室外側に突出した状態の鎌部１１と外障子３ｂの対応部位である戸先框６ｄ、パッキン７更には引手２０とが衝突し、鎌部１１や外障子３ｂの対応部位６ｄ，７，２０が損傷する恐れがある。例えば、対応部位である戸先框６ｄのガラス装着溝の室内側縁部１６に鎌部１１が衝突して変形、塗装剥げ等の損傷を発生する。
【００１５】
そこで、この問題を解決するために、すなわち障子３ａ，３ｂが非閉鎖状態でクレセント４を施錠位置にして障子３ａ又は３ｂを開操作した時に、鎌部１１と外障子３ｂの対応部位である戸先框６ｄ、パッキン７更には引手２０とが衝突するのを防止するために、前記レバー部１２に鎌部１１よりも先に対応箇所例えば戸先框６ｄと衝突する弾性を有する保護部材１７を設けている。すなわち、この保護部材１７は、鎌部１１と外障子３ｂの対応箇所である戸先框６ｄ、パッキン７や引手２０とが衝突ないし接触して損傷しないように保護する。保護部材１７は、緩衝性すなわち弾性を有する材料、例えば軟質樹脂、天然ゴム、合成ゴム例えばＥＰＤＭからなっていることが好ましい。
【００１６】
前記保護部材１７は、ブロック状、好ましくは略直方体状に形成されている。この保護部材１７には前記レバー部１２に嵌合する孔部が１８設けられている。この孔部１８はレバー部１２と同じ断面形状例えば方形に形成されている。上向きのレバー部１２に対して保護部材１７が着脱自在に取付けられている。この場合、保護部材１７の先端（内障子開移動方向側先端）は鎌部１１よりも戸先框６ｄ側に突出している。
【００１７】
また、保護部材１７が戸先框６ｄに衝突した時の反力がレバー部１２にかからないように、反力からレバー部１２を保護するために、保護部材１７の後端（内障子閉移動方向側後端）は内障子３ａの召し合せ框５ｃの障子開移動方向側端面に近接していることが好ましい。これにより、保護部材１７が戸先框６ｄに衝突した時の反力を保護部材１７を介して召し合せ框５ｃで受けることができ、前記反力ないし衝撃力によるレバー部材１２の変形や損傷を防止することができる。更に、衝撃部材１７の端縁部が戸先框６ｄのパッキン７に衝突してパッキン７が潰れるのを防止するために、保護部材１７の端縁部にはパッキン８の傾斜面と対応した角度の傾斜面部１９が形成されていることが好ましい。
【００１８】
以上の構成からなる開口部装置１例えばサッシによれば、建物の開口に設けられる上枠２ａ、下枠２ｂおよび左右の縦枠２ｃ，２ｄからなる枠体２と、該枠体２内に開閉自在に設けられる内外の障子３ａ，３ｂと、該障子３ａ，３ｂを閉鎖状態に施錠するクレセント４とを備え、前記クレセント４は回動可能な鎌部１１とレバー部１２を有し、障子３ａ，３ｂが非閉鎖状態でクレセント４を施錠位置にして障子３ａ又は３ｂを開操作した時に、鎌部１１と外障子３ｂの対応部位である戸先框６ｄとが衝突するのを防止するために、前記レバー部１２に鎌部１１よりも先に戸先框６ｄと衝突して鎌部１１及び障子３ｂの戸先框６ｄを保護する弾性を有する保護部材１７を設けているため、障子３，３ｂが非閉鎖状態でクレセント４を施錠位置にして障子３ａ又は３ｂを開操作した場合でも、鎌部１１と障子３ｂの戸先框６ｄとが衝突するのを防止することができ、鎌部１１や戸先框６ｄが損傷するのを防止することができる。
【００１９】
例えば、内障子３ａを図４の左方向に開操作すると、保護部材１７が外障子３ｂにおける戸先框６ｄのガラス装着溝の室内側縁部１６に衝突し、その時の衝撃力を保護部材１７の弾性によって吸収することができ、戸先框６ｄの室内側縁部１６にクレセント４の鎌部１１が衝突することにより生じる変形、塗装の剥げ等の損傷を未然に防止することができ、耐久性の向上が図れる。また、前記保護部材１７はブロック状に形成され、これに前記クレセント４のレバー部１２を嵌挿する孔部１８を設けてなるため、レバー部１２に保護部材１７を簡単に取付けることができ、また、レバー部１２から保護部材１７を簡単に取外すことができる。
【００２０】
保護部材１７は、レバー部１２に取付けられている時、先端側がクレセント４の鎌部１１よりも戸先框６ｄ側に突出しており、且つ、後端側が内障子３ａの召し合せ框５ｃに近接しているため、保護部材１７が外障子３ｂの戸先框６ｄに衝突した時の反力をレバー部１２ではなく召し合せ框５ｃで受けることができ、レバー部１２に損傷を与える恐れはない。更に、保護部材１７の端縁部には戸先框６ｄのパッキン７の傾斜面に対応した傾斜面部１９が形成されているため、保護部材１７がパッキン７に衝突することにより生じる潰れを防止することができる。
【００２１】
前記開口部装置１においては、例えば建物の工事期間中、クレセント４のレバー部１２に保護部材１７を取付けておく。これにより、開口部装置１の拭き掃除中に、障子３ａ，３ｂが非閉鎖状態であるにも関らず、クレセント４のレバー部１２を誤って施錠位置に回してしまったり、或いは、携帯ラジオや携帯電話のストラップを引っ掛けておくために、クレセント４のレバー部１２を施錠位置である上向きの位置に回しておいたとしても、障子３ａ又は３ｂを開操作した場合に鎌部１１と外障子３ｂの対応部位である戸先框６ｄ、パッキン７更には引手２０とが衝突するのを防止することができ、鎌部１１や戸先框６ｄ、パッキン７更には引手２０が損傷するのを防止することができる。そして、前記開口部装置１の建て付け調整時に前記レバー部１２から保護部材１７を取外して回収するようにすれば良い。このようにして保護部材１７を何度も再使用することができるので経済的である。なお、保護部材１７の使用は、建物の工事期間中に限定されるものではない。保護部材１７は、クレセント４の解錠状態にあっては、障子３ａ，３ｂの完全引違いが可能であり、障子の開閉に邪魔にならない。
【００２２】
以上、本発明の実施の形態を図面により詳述してきたが、本発明は前記実施の形態に限定されるものではなく、本発明の要旨を逸脱しない範囲での種々の設計変更等が可能である。例えば、前記実施の形態では、開口部装置として障子が内外二枚建てのサッシが例示されているが、障子が三枚建てや四枚建て等のサッシであっても良い。また、本発明の開口部装置は、引違い形式に限定されず、例えば外障子を固定（フィックス）障子とし内障子を可動障子とした片引き形式であっても良い。
【００２３】
本発明は、サッシ以外に、例えば上げ下げ窓等にも適用可能である。また、前記実施の形態ではクレセントのレバー部に保護部材を着脱自在に設けた例が示されているが、本発明はクレセントのレバー部に保護部材を一体的に設けたものであっても良い。
【００２４】
【発明の効果】
以上要するに本発明によれば、建物の開口に設けられる上枠、下枠および左右の縦枠からなる枠体と、該枠体内に開閉自在に設けられる内外の障子と、該障子を閉鎖状態に施錠するクレセントとを備え、前記クレセントは回動可能な鎌部とレバー部を有し、障子が非閉鎖状態でクレセントを施錠位置にして障子を開操作した時に、鎌部と外障子の対応部位とが衝突するのを防止するために、前記レバー部に鎌部よりも先に外障子の対応部位と衝突する弾性を有する保護部材を設けているため、障子が非閉鎖状態でクレセントを施錠位置にして障子を開操作した場合でも、鎌部と外障子の対応部位とが衝突するのを防止することができ、鎌部や外障子の対応部位が損傷するのを防止することができる。
【図面の簡単な説明】
【図１】本発明の実施の形態を示す開口部装置の室内側正面図である。
【図２】クレセントを示す図で、（ａ）は解錠位置の側面図、（ｂ）は施錠位置の側面図、（ｃ）はクレセントのハンドルに保護部材を取付けた状態を示す斜視図である。
【図３】図１のＡ−Ａ線拡大断面図である。
【図４】図１のＢ−Ｂ線拡大断面図である。
【図５】従来の開口部装置の一例を示す室内側正面図である。
【図６】図５のＣ−Ｃ線拡大断面図である。
【符号の説明】
１　開口部装置
２　枠体
２ａ　上枠
２ｂ　下枠
２ｃ，２ｄ　縦枠
３ａ，３ｂ　障子
４　クレセント
６ｄ　戸先框（対応部位）
７　パッキン（対応部位）
１１　鎌部
１２　レバー部
１７　保護部材
２０　引手（対応部位）
【図１】
2004052394.tif 000003
【図２】
2004052394.tif 000004
【図３】
2004052394.tif 000005
【図４】
2004052394.tif 000006
【図５】
2004052394.tif 000007
【図６】
2004052394.tif 000008